(57)【特許請求の範囲】
【請求項１】
ビンディング（２８）を長手方向に位置決めし、固定するためのビンディングプレート（１０）であって、
幅方向の両端かつ前記スキー板上面部（３２）と接する側の面側に、下くり抜き部（３５）（３６）を有し、
幅方向の両端かつスキー板上面部（３２）と接着する側の面とは反対側の面側に、幅方向に前記下くり抜き部（３５）（３６）よりも突出する縦縁部（１９）（２０）を有し、
前記下くり抜き部（３５）（３６）及び前記縦縁部（１９）（２０）によって、長手方向に対して垂直な横断面でＴ字型の板形状を有し、
前記両縦縁部（１９）（２０）には、長手方向に互いに距離をあけ、前記ビンディングの戻り止め用の刻み目（１４）（１５）がそれぞれ形成されているビンディングプレート（１０）。
【請求項２】
前記ビンディングプレート（１０）はスキー板上面部（３２）と接する面側に、スキー板上面部（３２）に形成された補助凹部に対応した突起部（２４）（２５）（２６）を有する請求項１に記載のビンディングプレート（１０）。
【発明の詳細な説明】
【技術分野】
【０００１】
本発明は、ビンディングプレートに関するものである。
【背景技術】
【０００２】
スキー板上面部にいわゆるビンディングプレートを装着することは一般に知られている。ビンディングプレートはスキー板上面部にネジによって固定される。ネジがスキー板或いはスキー本体に十分に固定されるためには、スキー本体のビンディングプレートが固定される部分に、別の補強材が形成される必要がある。これは一般に固形木製芯材、或いはプラスチック製や金属製の別の取り付け板を、スキー板或いはスノーボードの結合部分に一体化させることで実現される。
【発明の開示】
【発明が解決しようとする課題】
【０００３】
明らかに、そのような補強材の挿入は、一方ではスキー板の曲げ強度及びねじれ剛性に、他方ではスキー板の柔軟性にかなりの影響を及ぼす。さらに従来の補強材を挿入すると、スキー板の重さがかなり増加する。尚、ビンディングプレートは少なくともその一端がネジによって固定されるので、スキー板に対して長手方向に変位可能である。このために、ビンディングプレートの一端に設けられた固定ネジ用の穴が溝部として形成される。特に、従来のビンディングプレートは通常金属、特にアルミニウムから成り、そのためスキー板とは全く異なる機構特性を示すため、既述のビンディングプレートとスキー板とが相互に変位することが必要である。スキー板の長手方向へスキー板とビンディングプレートが相互に変位するとまた、当然スキー板の走行性能にかなりの影響を及ぼすので、製造技術及びスキー技術の点から見ると、従来の構造では多くの不便さが顕著となるが、本発明はそれを克服しようとするものである。先行技術については、ＵＳ２００２／０１０５１６７を一例として参照する。
【課題を解決するための手段】
【０００４】
従って、本発明の目的は、製造業者の視点から見て、取り付け補助具を容易に装着することができ、その走行性能が取り付け補助具によって影響されない、或いはほとんど影響されないということを特徴とする、スキー板を製造することを可能とするビンディングプレートを提供することである。
【０００５】
上記の目的は請求項１に記載の特徴により達成され、そして本発明の有利な構造の詳細は請求項２に記述される。
【０００６】
本発明の中心はビンディング（２８）を長手方向に位置決めし、固定するためのビンディングプレート（１０）であって、幅方向の両端かつ前記スキー板上面部（３２）と接する側の面側に、下くり抜き部（３５）（３６）を有し、幅方向の両端かつスキー板上面部（３２）と接着する側の面とは反対側の面側に、幅方向に前記下くり抜き部（３５）（３６）よりも突出する縦縁部（１９）（２０）を有し、前記下くり抜き部（３５）（３６）及び前記縦縁部（１９）（２０）によって、長手方向に対して垂直な横断面でＴ字型の板形状を有し、前記両縦縁部（１９）（２０）には、長手方向に互いに距離をあけ、前記ビンディングの戻り止め用の刻み目（１４）（１５）がそれぞれ形成されている。
【０００７】
好ましくは、前記ビンディングプレート（１０）はスキー板上面部（３２）と接する面側に、スキー板上面部（３２）に形成された補助凹部に対応した突起部（２４）（２５）（２６）を有する。
【０００８】
次に、本発明によって形成されたビンディングプレートの好適な実施形態を図面を参照して詳しく説明する。
【発明を実施するための最良の形態】
【０００９】
図１の平面図にあるビンディングプレート１０の形状をした取り付け補助具の実施例は、前部１１、後部１２、及び中心連結部１３から成り、中心連結部１３は前部１１及び後部１２より幅狭で肉厚が薄い（図２参照）。それらの部分は互いに一体に連結し、好ましくは風化作用に強いプラスチック材から成り、図示されている構成と寸法では、中心連結部１３において、スキー板の機構特性にビンディングプレート１０の機構特性が一致するようにする。図３及び４において、ビンディングプレート１０と結合しているスキー板結合部は符号２３で示されている。
【００１０】
底面、或いはスキー板上面部に面した側には（図４参照）、ビンディングプレート１０が下方に突出しているニップル状又はスタッド状の突起部２４、２５、２６を有しており、それらはここでは詳細に示していないスキー板上面部３２に形成された補助凹部に対応している。突起部２４、２５、２６はビンディングプレート１０がスキー板上面部３２に一体化して接着するために加えられた安全装置である。上述したように、ビンディングプレート１０は、好ましくは全面にわたって、スキー板上面部３２に溶接或いは接着されるようにする。図３及び４において、対応する接着層部は符号３３で示されている。ビンディングプレート１０がスキー板、つまりその上面部に出来る限り近接して接着できるように、接着層部３３は最薄にする。ビンディングプレート１０はあたかも一体にスキー板と連結することになる。極端な場合では、ビンディングプレート１０がスキー板中心部の上側に直接取り付けられ、スキー板上面層部によって覆われることも可能となる。その技術はスキー板上面部が側面を越えて、スキー板のほぼ走行面まで引き伸ばされる、いわゆる“Ｓｃｈａｌｅｎｓｋｉｓ”（“ｄｉｓｈ”スキー板）に関して、特に使用することができる。
【００１１】
図３にて明確なように、ビンディングプレート１０の前部１１はほぼＴ字型の横断面に形成され、桟部が側面へ突出する縦縁部１９、２０となり、その縦縁部１９、２０に沿って、前部１１と連結しているビンディング２８（図４参照）が前後に変位可能、つまり、ここでは図示されていない位置決めネジによって位置決め、及び固定可能である。図４のビンディング２８はクロスカントリー用ビンディングであり、つまり踵、即ちブーツ踵が自由に引き上げ可能であるようにブーツの前端を取り付けるためのビンディングである。従って、ビンディングプレート１０の後部１２もまた踵プレートを取り付けるためだけに形成されている。このため、後部１２は長手方向に互いに間隔を空けた３個のネジ穴１６、１７、１８を有している。これにより、ブーツのサイズやブーツ踵３０の位置に関係なく、スキー板の長手方向に踵プレートの位置決めを適切に行うことができる（図４）。
【００１２】
また、ビンディングプレート１０の前部１１がブーツ靴底前部２９に結合している（図４）。中心連結部１３は靴底前部とブーツ踵との間の足の曲線部分に位置している。図４では、結合しているブーツが破線のみで表示されており、符号３４を付している。
【００１３】
ビンディングプレート１０の後部１２は、縦縁部２１、２２により側面を接着され、その縦縁部２１、２２は、ビンディングプレート１０の前部１１の縦縁部１９、２０と同様に、ビンディングプレート１０の基体を超えて側面に突出してもよい。但し、ビンディングプレート１０の後部１２が踵プレートを取り付けるためだけのものである場合、既述の縦縁部２１、２２の構成は必要ではない。踵プレートの長手方向の位置決めは、互いに距離をあけて配置したネジ穴１６、１７、１８に対して適切に結合することによって施される。
【００１４】
このようにビンディングプレート１０の前部１１は、ビンディング２８、或いはビンディング部品を長手方向に位置決め、及び固定するために、下くり抜き部３５，３６を有する縦案内路として形成される。また、下くり抜き部３５、３６は図３にあるような、ビンディングプレート１０の基体、及びその前部１１を越えて横方向に突出し、そしてスキー板上面部３２から距離をあけているビンディングプレート１０の前部１１の縦側面縁部１９、２０によって形成される。ビンディング２８の筐体は下くり抜き部３５、３６の下で係合している。
【００１５】
また、ビンディング、或いはビンディング部品の長手方向の位置決め、及び固定のために下くり抜き部を配置するため、ビンディングプレート１０の前部１１及び／又は後部１２の横断面はＵ字型でもよく、２個の上方へ突出したアーム部が内側へ各々引っ張られ、或いは直接外側へ引っ張られる。
【００１６】
ここに図示されている実施例では、ビンディングプレート１０の前部１１の２個の縦縁部１９、２０に戻り止め用の刻み目１４、１５が形成され、それはビンディング２８の筐体の対応するスナップ取り付け部品と協働する。その方法によると、ビンディング２８は好ましくは道具を用いずに、スキー板の長手方向を段階的に変位可能である。ビンディング２８の筐体はスナップ取り付けの部品、特に刻み目１４、１５と係合するスナップ取り付けピンを備え、それらの部品はスナップ取り付け位置に予め弾性的に付勢される。スナップ取り付けを外した位置に弾性的に付勢する動作に対し、圧力レバー作用によってスナップ取り付けピンを変位させることで、弾性的に付勢された部品を手動で解除できることになっている。そしてビンディング２８の筐体は、ビンディングのスナップ取り付けピンが所望の刻み目１４、１５に止まるまで、スキー板の長手方向に変位可能である。
【００１７】
また、刻み目１４、１５はビンディングプレート１０の前部１１の上側に形成することが可能である。いずれにしても、比較的重い負荷がかかった際にも、ビンディング２８がビンディングプレート１０上に確実に配置されているだけの頑丈な特性をスナップ取り付け結合部が備えるようにしなければならない。
【００１８】
ビンディングプレート１０の下面を延び、過度に塗布された接着剤が流入できる縁溝部３１が設けられてもよい。
【００１９】
原則的に、ビンディングプレート１０もまたスキー板上面層部に一体化した部分として形成する、すなわち上面層部をビンディング部分に適宜形成することができる。そのような実施例は、“スキー板と最も一体化した”構造ユニットを構成するであろう。その場合、ビンディングがしっかりと固定されるのに必要な強度を確保するための、適切な特性を備えるようにしなければならない。
【００２０】
製造業者の視点から見ると、スキー板が製造された後、別の処理段階でスキー板上面部にビンディングプレート１０を溶接或いは接着することが可能であるが、或いは他の可能性として、ビンディングプレート１０が予めスキー板上面部或いは対応する上面部に溶接又は接着されてから、それらと共にスキー本体へ位置決めする。適切な溶接処理は、好ましくはレーザー溶接である。原則として、いわゆる摩擦溶接処理もまた可能である。処理方法は、互いに溶接されることになる材料によって最終的に決定される。いずれにしても、スキー板上面部とビンディングプレート１０との接着は、スキー板上面部とビンディングプレート１０の耐久連結、つまり風化に強い連結を確実にするのに適している。
【００２１】
ビンディングプレート１０が接着される際、好ましくはまずスキー板上面部に面している側のビンディングプレート１０に接着剤を塗布し、そして必要ならば接着面から保護膜を予め除去した後、ビンディングプレート１０がスキー板上面部の位置決め装置内へ位置決めをし、そこへしっかりと接着することができる。
【００２２】
ビンディングプレート１０とスキー板上面部との間の接着強度を増すために、スキー板上面部は、接着する前に接着部分を機械的に或いは化学的に粗くすることができる。
【００２３】
このように本発明の中心は、取り付け補助具即ちビンディングプレート１０と、スキー板即ちスキー板上面部３２との間にインターロック連結が原則的に全くないところにある。インターロック連結はないのであるが、必要であれば、上記のニップル状又はスタッド状の突起部２４、２５、２６を参照して説明したように、インターロック連結によって補強することも可能である。
【００２４】
本出願明細書において開示された全ての特徴は、先行技術と比較して、個々に或いは組み合わせによってそれらが新規である限りにおいて、本発明にとって重要であるものとして特許請求される。
【図面の簡単な説明】
【００２５】
【図１】本発明による取り付け補助具、すなわちビンディングプレートの平面図である。
【図２】図１によるビンディングプレートの側面図である。
【図３】図１及び２によるビンディングプレートが接着されるスキー板の横断面図である。
【図４】スキー板、ビンディングプレート、クロスカントリー用ビンディング及びブーツの側面図である。
【符号の説明】
【００２６】
１０  ビンディングプレート（取り付け補助具）
１１  前部
１２  後部
１３  中心連結部
１４  刻み目
１５  刻み目
１６  ネジ穴
１７  ネジ穴
１８  ネジ穴
１９  縦縁部
２０  縦縁部
２１  縦縁部
２２  縦縁部  
２３  スキー板結合部
２４  突起部
２５  突起部
２６  突起部
２８  ビンディング
２９  ブーツ靴底前部
３０  ブーツ踵
３１  縁溝部
３２  スキー板上面部
３３  接着層部
３４  ブーツ
３５  下くり抜き部
３６  下くり抜き部
【図１】
0004783017.tif 000002
【図２】
0004783017.tif 000003
【図３】
0004783017.tif 000004
【図４】
0004783017.tif 000005